(57)【要約】【課題】クリップを装着した筆記具の軸筒において、クリップを装着し易く、且つクリップが破損し難い筆記具の軸筒を提供する。【解決手段】本発明は、軸筒本体の後端部にクリップを付設してなる筆記具の軸筒において、前記クリップが、クリップ片と、該クリップ片を装着するクリップ台とからなり、前記軸筒本体の後端部に、長手方向に沿って延び、外方を開口した装着溝を形成し、前記軸筒本体の後端に、前記装着溝の後方と連通する連通部を設け、前記連通部から、前記クリップ台を挿通して、前記軸筒本体の後端部に前記クリップを付設するとともに、前記クリップ台の前端部に、前記装着溝の開口幅よりも狭い、長手方向に沿って延びる幅狭部を設け、当該幅狭部の後方に、前記幅狭部及び前記装着溝の開口幅よりも広く、前記装着溝の溝幅よりも小さい、長手方向に沿って延びる幅広部とを有することを特徴とする。【選択図】図１
2015136802.tif 000002
【特許請求の範囲】
【請求項１】
軸筒本体の後端部にクリップを付設してなる筆記具の軸筒において、前記クリップが、クリップ片と、該クリップ片を装着するクリップ台とからなり、前記軸筒本体の後端部に、長手方向に沿って延び、外方を開口した装着溝を形成し、前記軸筒本体の後端に、前記装着溝の後方と連通する連通部を設け、前記連通部から、前記クリップ台を挿通して、前記軸筒本体の後端部に前記クリップを付設するとともに、前記クリップ台の前端部に、前記装着溝の開口幅よりも狭い、長手方向に沿って延びる幅狭部を設け、当該幅狭部の後方に、前記幅狭部及び前記装着溝の開口幅よりも広く、前記装着溝の溝幅よりも小さい、長手方向に沿って延びる幅広部とを有することを特徴とする筆記具の軸筒。
【請求項２】
前記クリップ片の前端部に、クリップ台側に向かって突出する係止部を形成するとともに、前記クリップ台の前端が、前記係止部の底部よりも、前記クリップ片側に位置することを特徴とする請求項１に記載の筆記具の軸筒。
【請求項３】
前記幅狭部の厚さが、前記幅広部の厚さよりも薄いことを特徴とする請求項１または２に記載の筆記具の軸筒。
【請求項４】
前記軸筒本体の後端部に、前記装着溝の連通部を開口及び閉鎖可能に、頭冠を着脱自在に装着し、前記クリップが、装着溝の連通部から着脱自在に付設してあることを特徴とする請求項１ないし３の何れか１項に記載の筆記具の軸筒。
【発明の詳細な説明】
【技術分野】
【０００１】
本発明は、軸筒本体の後端部にクリップを付設してなる筆記具の軸筒に関する。
【背景技術】
【０００２】
筆記具において、実開昭６３−１７９１８９号公報「筆記具」では、軸筒本体やキャップの端部に設けた取付孔に、クリップ片と一体に形成した取付片を圧入固着によって装着した構造が開示されている。
【０００３】
また、本願発明者は、軸筒の外表面に加飾を施し易い構造として、特開２０１３−４９１９３号公報「スライド式の多芯筆記具」にて、前記軸筒の後端部に、長手方向に沿って延び、外方を開口した装着溝を形成し、前記軸筒本体の後端に、前記装着溝の後方と連通する連通部を設け、前記連通部から、前記クリップ台を挿通して、前記軸筒本体の後端部にクリップを装着する構造を開示している。
【先行技術文献】
【特許文献】
【０００４】
【特許文献１】実開昭６３−１７９１８９号公報
【特許文献２】特開２０１３−４９１９３号公報
【発明の開示】
【発明が解決しようとする課題】
【０００５】
ところで、近年、さらに加飾領域を広げることや、筆記体を４本や５本を収納した多芯筆記具等が望まれており、装着溝の溝幅を細くすることが必要となっている。しかし、溝幅を小さくすると、クリップ台を挿通し難くなるため、結果として組立難いという問題が発生する。
【０００６】
こうした問題を鑑みて、クッリップ台の幅を細くすることも考えられるが、幅の細いクリップ台では、組立時や衝撃等によって破損しやすいという新たな問題が発生する。
【０００７】
本発明の目的は、クリップを装着した筆記具の軸筒において、クリップを装着し易く、且つクリップが破損し難い筆記具の軸筒を提供するものである。
【課題を解決するための手段】
【０００８】
上記目的を達成するために、本発明は、第１に、軸筒本体の後端部にクリップを付設してなる筆記具の軸筒において、前記クリップが、クリップ片と、該クリップ片を装着するクリップ台とからなり、前記軸筒本体の後端部に、長手方向に沿って延び、外方を開口した装着溝を形成し、前記軸筒本体の後端に、前記装着溝の後方と連通する連通部を設け、前記連通部から、前記クリップ台を挿通して、前記軸筒本体の後端部に前記クリップを付設するとともに、前記クリップ台の前端部に、前記装着溝の開口幅よりも狭い、長手方向に沿って延びる幅狭部を設け、当該幅狭部の後方に、前記幅狭部及び前記装着溝の開口幅よりも広く、前記装着溝の溝幅よりも小さい、長手方向に沿って延びる幅広部とを有することを特徴とする。
【０００９】
前記第１の構成によれば、クリップを装着する際、装着溝の連通部からクリップ台の幅狭部から挿通しなくても、クリップ台の幅広部から装着溝に挿通することで、軸筒本体にクリップを装着可能となるため、組立性を著しく向上することができる。これは、装着溝の開口幅よりも狭い、長手方向に沿って延びる幅狭部は、装着溝の連通部のみならず、開口した外方側からも装着溝内に挿通可能であるため、クリップ台の前端を連通部に位置合わせしなくて済むためである。尚、クリップ台の前端を連通部に挿通する場合であっても、幅の狭い前端部は、容易に連通部に挿通することができる。また、幅広部によって、装着溝からの外れ防止及び強度低下を抑制しているため、クリップの装着時等に破損することを防止することができる。
【００１０】
第２に、前記クリップ片の前端部に、クリップ台側に向かって突出する係止部を形成するとともに、前記クリップ台の前端が、前記係止部の底部よりも、前記クリップ片側に位置することを特徴とする。
【００１１】
前記第２の構成によれば、クリップの挟持力を高めることができる。これは、クリップの挟持力は、クリップ片の前端に設けた係止部と軸筒本体が離間する距離が長い（厚い物を挟んだ状態）程、強くなるものである。一般的なクリップは、クリップ台とクリップ片の係止部の底部が当接した状態、或いは、クリップ台の前端が、前記係止部の底部よりも、クリップ台側に位置（係止部の底部とクリップ台が離間）した状態としてある。一方、前記第２の構成によれば、前記クリップ台の前端が、前記係止部の底部よりも、前記クリップ片側に位置することで、クリップ片の前端に設けた係止部と軸筒本体が離間する距離が長くなり、挟持力を高めることができるためである。
【００１２】
第３に、前記軸筒の後端部に、前記装着溝の連通部を開口及び閉鎖可能に、頭冠を着脱自在に装着し、前記クリップが、装着溝の連通部から着脱自在に付設してあることを特徴とする。
【００１３】
前記第３の構成によれば、頭冠の装着後に、前記連通部からクリップが外れることを防止でき、さらに、頭冠を取り外した後、クリップを取り外し可能であるため、使用者の好みあったクリップ色や、万が一、クリップが破損してもクリップを交換することできる効果を奏する。
【発明の効果】
【００１４】
本発明は、クリップを装着した筆記具の軸筒において、クリップを装着し易く、且つクリップが破損し難い筆記具の軸筒を提供することができた。
【図面の簡単な説明】
【００１５】
【図１】実施形態１の筆記具の軸筒を用いた多芯筆記具を示す縦断面図である。
【図２】図１における一部省略した要部拡大断面図である。
【図３】図１におけるＡ−Ａ拡大断面図である。
【図４】図１におけるＢ−Ｂ拡大断面図である。
【図５】図１におけるクリップを取り外した状態を示すクリップの縦断面図である。
【図６】図１におけるクリップを取り外した状態を示す後軸後端部の外観図である。
【図７】クリップ台を示す外観図である。
【図８】クリップの装着状態を示す、クリップ片を省略したクリップ台と後軸の斜視外観図である。
【発明を実施するための最良の形態】
【００１６】
次に図面を参照しながら、本発明の筆記具の軸筒の実施形態を説明するが、本発明は以下の実施形態に限定されるものではない。
【００１７】
図１〜図８に示す第１実施形態の筆記具の軸筒１は、多芯筆記具の軸筒である。具体的には、筆記具の軸筒１の軸筒本体２は、前軸３の雄ネジ部と後軸４の雌ネジ部を螺合により取り付けられている。
【００１８】
後軸４の後部には、前後方向に延びる細長状の摺動溝４Ａ、４Ｂ、４Ｃ、４Ｄが４本、形成してあり、互いに、９０度間隔に形成される。また、摺動溝４Ａ、４Ｂ、４Ｃ、４Ｄは、後方が開口していて、後軸４の後端で連通する開口部を有している。後軸４の後端部は略円筒状であって、後軸４の外面には予めフィルム転写を施してある。
【００１９】
また、後軸４の後部、且つ後軸４の摺動溝４Ａ、４Ｄには、長手方向に沿って延び、外方を開口（開口部４Ｆ）した装着溝４Ｅを形成してある。さらに、後軸４の後端では連通部４ＥＡを設けてあり、連通部４ＥＡと装着溝４Ｅとが連通している。この装着溝４Ｅにクリップ２２を付設してある。
【００２０】
また、後軸４の後部には、雄ネジ部を設けてあり、この雄ネジ部に、頭冠５の雌ネジ部をネジ嵌合によって着脱自在に装着してある。この頭冠５を取り外すことで、連通部４ＥＡを露出し、開口することができる。
【００２１】
軸筒本体２内には、複数本（４本）の筆記体９、１４、１９、２１が前後方向に移動可能に収容されている。筆記体９の後部には、筆記体９のインキ収容筒１０に収容した筆記具用インキと同色の摺動体７を配設してあり、筆記体９は、コイルスプリング（図示せず）により後方に付勢してあり、他の筆記体１４、１９、２１も、筆記体９と同様にして、筆記体１４、１９、２１の後部に、筆記体１４、１９、２１のインキ収容筒に収容した筆記具用インキと同色の摺動体１３、１８、２０を配設してある。４本の筆記体を配設した従来から知られている出没機構のスライド式の多芯筆記具である。
【００２２】
クリップ２２は、クリップ片２３を、クリップ台２４の外壁に設けられた支柱２４Ｄに連結し、クリップ片２３の内壁とクリップ台２４との間であって支柱２４Ｄの後方に配設されるスプリング２５によって、クリップ片２３の前端部の係止部２３Ａを常時、クリップ台２４の外壁側に弾性的に反発させるとともに、クリップ片２３の後端部をクリップ台２４側へ押圧することにより連結部を支点としクリップ台２４に対しクリップ片２３の前端部の係止部２３Ａをクリップ台２４から離間可能に配設してある。
【００２３】
また、クリップ台２４の前端部には、装着溝４Ｅの開口幅Ｌよりも狭い、長手方向に沿って延びる幅狭部２４Ａを設け、幅狭部２４Ａの後方には、前記幅狭部２４Ａの幅Ｍ及び前記装着溝４Ｅの開口幅Ｌよりも広い、長手方向に沿って延びる幅広部２４Ｂ（幅Ｎ）とを有する。
【００２４】
さらにまた、クリップ片２３の前端部には、クリップ台２４側に向かって突出する係止部２３Ａを併設してあり、クリップ２２を後軸４に装着する前の状態において、クリップ台２４の幅狭部２４Ａの前端部２４Ｃは、前記係止部２３Ａの底部よりも、クリップ片２３側（径方向で係止部内）に位置して、クリップ２２の挟持力を高めている。
【００２５】
クリップ２２は、装着溝４Ｅに着脱自在に付設している。具体的には、連通部４ＥＡからクリップ台２４を挿入し、後軸４の後方側から前軸３側に押し込むことで、クリップ台２４に設けた突起が、装着溝４Ｅに設けた突起との乗り越し嵌合によって、後軸４にクリップ台２４を着脱自在に付設している。クリップ台２４の幅狭部２４Ａの前端部２４Ｃは、前記係止部２３Ａの底部よりも、クリップ片２３側に位置しているが、図８に示すように、幅狭部２４Ａの幅Ｍは、装着溝４Ｅの開口幅Ｌよりも細くしてあるため、クリップ台２４が装着溝４Ｅに対して傾斜して、幅狭部２４Ａが装着溝４Ｅから離脱した状態とし、幅広部２４Ｂを連通部４ＥＡから装着溝４Ｅに挿通し、幅狭部２４Ａは装着溝４Ｅの開口した外方から装着溝４Ｅ内に挿通した後、押し込むことで付設することができる。
【００２６】
また、装着溝４Ｅの前端部は、外方を開口していない後軸４内にも連通してあり、クリップ台２４を後軸４に装着した後、前記クリップ台２４の幅狭部２４Ａの前端部２４Ｃは、前記外方を開口していない後軸４内に位置し、外方側への飛び出しを防止している。
【００２７】
頭冠５は、弾性を有する弾性体６が装着してある。具体的には、頭冠５に設けた嵌合突部に、弾性体６の突部を落とし込み嵌合によって、容易に抜けないように装着してある。また、頭冠５の螺着終了時には、弾性体６の前端部は、後軸４に当接している。
【００２８】
筆記体９について詳述すると、インキ収容筒１０の前端部に、φ０．５ｍｍのボールを回転自在に抱持したボールペンチップからなる筆記部１２を、チップホルダー１１を介して装着してある。また、インキ収容筒１０内には、平均粒径が５μｍの可逆熱変色性のマイクロカプセル顔料を含有し、ＥＭ型回転粘度計における１ｒｐｍでのインキ粘度が１０２０ｍＰａ・ｓ（２５℃）、１００ｒｐｍでのインキ粘度が８４ｍＰａ・ｓ（２５℃）で、剪断減粘指数が０．４８の筆記具用水性インキと、このインキの後端に、グリース状のインキ追従体（図示せず）を直に収容してある。尚、インキ粘度は、ＥＭ型回転粘度計における１００ｒｐｍ、２０℃において、４０〜２００ｍＰａ・ｓとすることが好ましい。
【００２９】
後軸４内には、略円筒状のスプリング支持部８を固着している。スプリング支持部８は、筆記体９、１４、１９、２１の４本の筆記体が挿通される内孔が軸方向に貫設し、スプリング支持部８と、各々の摺動体７、１３、１８、２０間には、コイルスプリング（図示せず）が配置し、筆記体及び摺動体を後方に付勢してある。
【００３０】
筆記体９のボールペンチップからなる筆記部１２を前軸３の前端開口部３Ａから突出させるには、摺動体７の操作部を、摺動溝４Ａに沿って、前軸３の前端開口部３Ａ方向へスライドすることにより、摺動体７に形成した係合突起が後軸４内に形成した係止部（図示せず）に係止して、筆記体９の筆記部１２を前軸３の前端開口部３Ａから選択して突出を維持して、筆記することができる。また、弾性体６を筆記面に圧接し、擦ることで発生する熱によって、筆跡を変色させることができる。
【００３１】
筆記体９の筆記部１２が前軸３の前端開口部３Ａから突出を維持した状態で、他の摺動体１３の操作部を前軸３の前端開口部３Ａ方向にスライドすることで、摺動体１３の解除突起が摺動体７の係止を解除し、コイルスプリングの付勢力により筆記体９の筆記部１２を前軸３内に没入させることができる。
【００３２】
また、頭冠５が後軸４の後端を閉鎖した状態から、後軸４と頭冠５のネジ嵌合を外し、後軸４の後端を露出させることで、装着溝４Ｅは、後軸４の後端に連通部４ＥＡを有していて、開口部４ＥＡと摺動溝４Ｅとが連通しているので、この状態であればクリップ２２を取り出し、交換することができる。
【００３３】
本実施の形態では、便宜上、ボールペンを４本配設してあるが、筆記体には、例えば、ボールペン、マーキングペン、シャープペンシル等が挙げられる。また、筆記体の本数は、特に限定されるものではなく、具体的には、１本、２本、３本、４本、５本等が挙げられる。
【００３４】
また、筆記具用インキも特に限定されるものではないが、粒子の平均の大きさが０．１〜３０μｍの顔料を含有し、前記ボールの縦方向のクリアランスが、３０〜８０μｍ、１００ｍ当たりのインキ消費量が、２００〜８００ｍｇとすることで、濃く良好な筆跡及び良好な筆感を得ることができる。これは、ボールの縦方向のクリアランスが３０μｍ未満では、粒子の平均の大きさが０．１〜３０μｍの顔料を有する筆記具用水性インキにおいて、１００ｍ当たりのインキ消費量が２００〜８００ｍｇのようなインキ消費量を多くすることが困難であるとともに、８０μｍを超えると、インキ消費量が多く、筆跡乾燥性が低下する恐れがあるため、３０から８０μｍとすることが最も好ましいためである。
【００３５】
但し、熱変色性インキを用いる場合には、可逆熱変色性インキとすることが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３６】
また、前記した摩擦体には、弾性感に富み、摩擦時に適度な摩擦を生じて摩擦熱を発生させることのできるゴム、エラストマー等のゴム状弾性体が好適である。具体的には、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。また、摩擦体は、後軸と一体に形成又は別部材にて装着してあってもよい。尚、消しゴムを使用して筆跡を摩擦することもできるが、摩擦時に消しカスが発生するため、好ましくは前述のような摩擦体が用いられ、前記摩擦体の材質としては、シリコーン樹脂やＳＥＢＳ樹脂（スチレンエチレンブタジエンスチレンブロック共重合体）が好適に用いられる。
【００３７】
さらに、本実施形態では、便宜上、クリップ片とクリップ台を別部材で構成しているが、クリップ片とクリップ台とを一体に形成することもできる。また、幅狭部の長手方向の長さは特に限定されないが、クリップ台の全長の１／３より短いと、組立性が向上し難く、１／２より長いと、強度が低下する傾向となるため、クリップ台の全長の１／３〜１／２とすることが好ましい。
【００３８】
また本実施例では、便宜上、頭冠をネジ嵌合することで、軸筒の後端を開閉自在としてあるが、頭冠の装着方法は、軸筒後端部にヒンジ部を形成し、頭冠を軸筒に対し回動自在に配設するなど、特に限定されるものではないが、頭冠を軸筒後端部にネジ嵌合することで、組立性が良好となるので好ましい。
【産業上の利用可能性】
【００３９】
本発明の筆記具の軸筒は、インキの種類やペン先に限定されることなく、筆記具の軸筒として広く実施可能である。
【符号の説明】
【００４０】
１  筆記具の軸筒
２  軸筒本体
３  前軸
３Ａ  前端開口部
４  後軸
４Ａ、４Ｂ、４Ｃ、４Ｄ  摺動溝
４Ｅ  装着溝
４ＥＡ  連通部
４Ｆ  開口部
５  頭冠
６  弾性体
７、１３、１８、２０  摺動体
７Ａ  操作部
８  スプリング支持部
９、１４、１９、２１  筆記体
１０、１５  インキ収容筒
１１、１６  チップホルダー
１２、１７  筆記部
２２  クリップ
２３  クリップ片
２３Ａ  係止部
２４  クリップ台
２４Ａ  幅狭部
２４Ｂ  幅広部
２４Ｃ  前端部
２４Ｄ  支柱
２５  スプリング
Ｌ  装着溝の開口幅
Ｍ  幅狭部の幅
Ｎ  幅広部の幅
【図１】
2015136802.tif 000003
【図２】
2015136802.tif 000004
【図３】
2015136802.tif 000005
【図４】
2015136802.tif 000006
【図５】
2015136802.tif 000007
【図６】
2015136802.tif 000008
【図７】
2015136802.tif 000009
【図８】
2015136802.tif 000010